【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
配向ポリエステルフィルムの耐加水分解性を向上させるための、有機コーティングによってコーティングされた二酸化チタン粒子の使用であって、前記有機コーティングが、シランを含まない、またはシランに由来しない、使用。
【請求項２】
前記フィルムが、前記フィルムの総質量に対して、約１質量％〜約４０質量％、好ましくは約１質量％〜約２０質量％、好ましくは約１０質量％〜約２０質量％の、前記有機コーティングによってコーティングされた前記二酸化チタン粒子を含む、請求項１に記載の使用。
【請求項３】
前記ポリエステルフィルムが、第２の層（Ｂ）をさらに含む多層フィルム中の層（Ａ）であり、任意選択で前記第２の層（Ｂ）が、ポリエステルフィルム層である、請求項１または２に記載の使用。
【請求項４】
前記ポリエステルフィルムの固有粘度が、少なくとも約０．６０、好ましくは少なくとも約０．６４である、および／または、前記第２の層（Ｂ）のポリエステルが、層（Ａ）のポリエステルと同一のポリエステルである、またはそれを含む、請求項３に記載の使用。
【請求項５】
ポリエステル層（Ａ）が、前記層の総質量に対して、約１質量％〜約４０質量％、好ましくは約１質量％〜約２０質量％、好ましくは約１０質量％〜約２０質量％の、前記有機コーティングによってコーティングされた前記二酸化チタン粒子を含む、請求項３または４に記載の使用。
【請求項６】
前記第２の層（Ｂ）が、前記有機コーティングによってコーティングされた前記二酸化チタン粒子を、好ましくは前記層の総質量に対して約１質量％〜約１０質量％、好ましくは約１質量％〜約５質量％の量で含み、任意選択で層（Ａ）中の前記有機コーティングによってコーティングされた前記二酸化チタン粒子の量が、層（Ｂ）中の有機コーティングによってコーティングされた二酸化チタン粒子の量より多い、請求項３から５までのいずれか１項に記載の使用。
【請求項７】
前記第２の層（Ｂ）が、前記多層フィルムの製造に由来する再生廃フィルムを含む、請求項３から６までのいずれか１項に記載の使用。
【請求項８】
層（Ａ）の厚さが、層（Ｂ）の厚さより薄く、好ましくは前記層（Ａ）の厚さが、前記層（Ｂ）の厚さの約１０％〜約４０％、好ましくは約２０％〜約３０％である、および／または、フィルムの全体の厚さが、約１２μｍ〜約５００μｍ、好ましくは約２０〜約１００μｍである、請求項３から７までのいずれか１項に記載の使用。
【請求項９】
二軸配向ポリエステルフィルムである、請求項１から８までのいずれか１項に記載の使用。
【請求項１０】
前記ポリエステルが、ポリエチレンテレフタレートおよびポリエチレンナフタレートから選択され、好ましくはポリエチレンテレフタレートから選択される、請求項１から９までのいずれか１項に記載の使用。
【請求項１１】
（ｉ）前記二酸化チタンが、ルチル形結晶の形態であり、
（ｉｉ）前記二酸化チタン粒子が、前記有機コーティングによって均一にかつ離散的にコーティングされており、
（ｉｉｉ）前記有機コーティングが、有機リン化合物であり、かつ／または
（ｉｖ）前記二酸化チタン粒子が、アルキルホスホン酸またはアルキルホスホン酸エステルでコーティングされ、前記アルキルホスホン酸が、６〜２２個の炭素原子を含み、
任意選択で、前記アルキルホスホン酸またはそのエステルが、式Ｐ（Ｒ）（＝Ｏ）（ＯＲ1）（ＯＲ2）［式中、Ｒが、６〜２２個の炭素原子を含むアルキル基またはシクロアルキル基であり、Ｒ1およびＲ2がそれぞれ、水素、アルキル基、シクロアルキル基、アリール基またはアラルキル基である］を有し、かつ／または、前記アルキルホスホン酸のアルキル基またはＲが、６〜１４個の炭素原子を含み、直鎖状アルキル基であり、例えばＲ1およびＲ2が、独立に、水素および最大１０個の炭素原子を含むヒドロカルビル基から選択され、好ましくはＲ1およびＲ2が水素であり、かつ／または、前記アルキルホスホン酸またはそのエステルが、ｎ−オクチルホスホン酸およびそのエステル、ｎ−デシルホスホン酸およびそのエステル、２−エチルヘキシルホスホン酸およびそのエステル、ならびにカンフィルホスホン酸およびそのエステルから選択される、請求項１から１０までのいずれか１項に記載の使用。
【請求項１２】
前記有機コーティングが、ポリマー有機コーティングであり、任意選択で、前記有機コーティングが、炭素、水素および酸素原子を含み、窒素および／またはリンおよび／または硫黄原子をさらに含んでもよく、好ましくはケイ素原子を含まないモノマーに由来し、かつ／または、ポリマーコーティングのポリマー骨格が、ケイ素原子を含まず、かつ／またはポリマー有機コーティングが、ポリシロキサンではない、もしくはポリシロキサンを含まない、請求項１から１０までのいずれか１項に記載の、または請求項１１の（ｉ）若しくは（ｉｉ）に記載の使用。
【請求項１３】
コーティングされた二酸化チタン粒子が、
（ｉ）ポリマー多塩基酸またはその塩を含む分散剤の存在下で、前記二酸化チタン粒子の等電点より高いｐＨ値（好ましくは７超、好ましくは９〜１１のｐＨ）で水中に二酸化チタン粒子を分散させて、変更された等電点を有する粒子を生成し；分散体のｐＨを９未満だが前記粒子の変更された等電点より高い値に調整し；こうして生成された分散体の存在下で、１種または複数のエチレン性不飽和モノマーを重合し、したがって前記二酸化チタン粒子を、重合したモノマーでコーティングすることによって得られ、
（ｉｉ）ポリマー多塩基酸またはその塩を含む分散剤から形成される凝集性内部コーティングと、１種または複数のエチレン性不飽和モノマーの重合によって形成される外部コーティングとを含み、かつ／または、
（ｉｉｉ）１種または複数のエチレン性不飽和モノマーの重合によって形成されるポリマーコーティングを含み、ポリマー多塩基酸またはその塩を含む分散剤が、重合中に前記ポリマーコーティング中に取り込まれ、
任意選択で、前記ポリマー多塩基酸が、ポリスルホン酸、ポリホスホン酸およびポリカルボン酸から選択され、好ましくはポリカルボン酸またはその塩から選択され、かつ／または、前記ポリマー多塩基酸が、塩の形態であり、前記酸が、部分的もしくは完全に中和され、かつ／または前記塩が、アルカリ金属塩もしくはアンモニウム塩であり、例えば、前記ポリマー多塩基酸が、リグノスルホネート、石油スルホネートおよびポリ（４−スチレンスルホン酸ナトリウム）を含むポリ（スチレンスルホネート）から選択されるポリスルホン酸から選択され、または、例えば、前記ポリマー多塩基酸が、ポリマレイン酸、ポリアクリル酸、置換アクリル酸ポリマー、アクリルコポリマー（２−アクリルアミド、２−メチルプロパンスルホン酸を含むアクリル酸とスルホン酸誘導体のコポリマーを含む）から選択される、請求項１２に記載の使用。
【請求項１４】
分散剤の量が、前記二酸化チタン粒子の約０．０５〜約５．０質量％、好ましくは約０．１〜約１．０質量％であり、かつ／または、
前記エチレン性不飽和モノマーが、水性溶媒中で重合可能であり、好ましくは生成されたポリマーが、水中に不溶性であり、架橋剤によって架橋されていてもよく、かつ／または、
前記エチレン性不飽和モノマーが、重合性不飽和基を含む脂肪族および芳香族化合物から選択され、好ましくは前記重合性不飽和基が、不飽和カルボン酸および不飽和カルボン酸エステルから選択され、かつ／または、
前記エチレン性不飽和モノマーが、アクリル酸、メタクリル酸、イタコン酸、マレイン酸またはその無水物、フマル酸およびクロトン酸から選択される酸性モノマー、ならびにメチルアクリレート、エチルアクリレート、メチルメタクリレート、ブチルアクリレートおよびエチルメタクリレートを含む前記酸性モノマーのエステルであり、かつ／または、
前記エチレン性不飽和モノマーが、スチレン、ビニルトルエン、アルファメチルスチレン、エチレン、酢酸ビニル、塩化ビニル、アクリロニトリル、およびフッ素化アルケン、フッ素化エーテル、フッ素化アクリル酸およびメタクリル酸ならびにこれらのエステルならびにフッ素化複素環式化合物を含むフッ素化モノマーから選択され、かつ／または、
前記エチレン性不飽和モノマーが、不飽和カルボン酸および不飽和カルボン酸エステルから選択され、好ましくはメチルアクリレート、エチルアクリレート、ブチルアクリレート、ブチルメタクリレート、酢酸ビニルおよびビニルイソブチルエーテルから選択され、かつ／または、
ポリマー有機コーティングが、好ましくは１種または複数の架橋剤の存在によって、架橋され、好ましくは、前記架橋剤が、二官能性および多官能性エチレン性不飽和モノマーから選択され、好ましくはエチレングリコールジメタクリレート、エチレングリコールジアクリレート、アリルメタクリレート、アリルアクリレート、１，３−ブタンジオールジアクリレート、ジビニルベンゼンおよび１，３−ブタンジオールジメタクリレートから選択され、好ましくは、前記架橋剤の量が、前記エチレン性不飽和モノマーの総質量に基づいて、約１質量％〜約２０質量％、好ましくは約１質量％〜約１０質量％である、請求項１３に記載の使用。
【請求項１５】
コーティングされた二酸化チタンが、電量Ｋａｒｌ  Ｆｉｓｃｈｅｒ滴定によって測定した場合、２９０℃で１．０％以下、好ましくは０．５％以下の損失を示すような含水量を有する、請求項１から１４までのいずれか１項に記載の使用。
【請求項１６】
有機コーティングされた二酸化チタンが、疎水性ではない、好ましくは親水性であり、かつ／または、前記有機コーティングが、前記二酸化チタンの約０．１〜約２００質量％、好ましくは約０．１〜約１００質量％、約０．５〜約１００質量％、約２．０〜約２０質量％の量で存在する、請求項１から１５までのいずれか１項に記載の使用。
【請求項１７】
二酸化チタン粒子対有機コーティングの体積比が、体積によって１：１から１：２５、好ましくは１：２から１：８である、請求項１から１６までのいずれか１項に記載の使用。
【請求項１８】
前記二酸化チタン粒子が、無機コーティング、特にシリカおよび／またはアルミナコーティング、特にアルミナコーティングを有し、前記有機コーティングが、前記無機コーティングされた二酸化チタン粒子上にコーティングされており、かつ／または、
有機コーティングによってコーティングされた前記コーティングされた二酸化チタン粒子が、約０．０１μｍ〜約５．０μｍ、好ましくは約０．１０〜０．４０μｍの粒径を有する、請求項１から１７までのいずれか１項に記載の使用。
【請求項１９】
前記フィルムが、有機加水分解安定剤を含まず、かつ／または、前記フィルムが、有機ＵＶ吸収剤を含まない、請求項１から１８までのいずれか１項に記載の使用。
【請求項２０】
前記フィルムが白色である、請求項１から１９までのいずれか１項に記載の使用。
【請求項２１】
ポリエステルフィルムの耐加水分解性が、１２１℃および相対湿度１００％で少なくとも８０時間、促進老化後、破断伸びが少なくとも１０％、好ましくは少なくとも２０％、好ましくは少なくとも３０％であるようなものである、請求項１から２０までのいずれか１項に記載の使用。
【請求項２２】
前記有機コーティングが、ポリシロキサンではなく、かつ、ポリシロキサンを含まない、請求項１から２１までのいずれか１項に記載の使用。
【請求項２３】
二酸化チタン粒子を含む配向ポリエステルフィルムであって、前記粒子が、有機コーティングによってコーティングされており、前記有機コーティングが、ポリマー有機コーティングであり、前記有機コーティングが、ポリシロキサンではなく、かつ、ポリシロキサンを含まず、前記配向ポリエステルフィルムが前記フィルムの総質量に基づいて、約５質量％の量で二酸化チタン粒子を含む、配向ポリエステルフィルム。
【請求項２４】
前記有機コーティングが、シランを含まない、またはシランに由来しない、かつ／または、前記フィルムおよび／または前記有機コーティングによってコーティングされた前記二酸化チタン粒子が、請求項２から１０までおよび１２から２２までのいずれか１項に規定のもの、または請求項１１の（ｉ）若しくは（ｉｉ）に規定のものである、請求項２３に記載の配向ポリエステルフィルム。
【請求項２５】
（ｉ）溶融ポリエステルの層を押し出す工程と、
（ｉｉ）押出物をクエンチする工程と、
（ｉｉｉ）クエンチした押出物を一方向または互いに垂直の二方向に延伸する工程と、
（ｉｖ）フィルムをヒートセットする工程と
を含む、配向ポリエステルフィルムの製造方法であって、
ポリエステルがフィルムに成形される前に、有機コーティングによってコーティングされた二酸化チタン粒子を、二酸化チタン粒子が前記有機コーティングによってコーティングされていないポリエステルフィルムと比較してポリエステルフィルムの耐加水分解性を高めるのに有効な量で、ポリエステル中に取り入れ、前記配向ポリエステルフィルムが前記フィルムの総質量に基づいて、約５質量％の量で二酸化チタン粒子を含み、前記有機コーティングが、ポリマー有機コーティングであり、前記有機コーティングが、シランを含まない、またはシランに由来せず、前記有機コーティングが、ポリシロキサンではなく、かつ、ポリシロキサンを含まないことを特徴とし、
任意選択で前記有機コーティングによってコーティングされた二酸化チタン粒子および／または前記配向ポリエステルフィルムが、請求項１から１０までおよび１２から２４までのいずれか１項に規定のもの、または請求項１１の（ｉ）若しくは（ｉｉ）に規定のものである、方法。
【請求項２６】
光起電力電池中の層としての請求項２３または２４に記載の配向ポリエステルフィルムの使用であって、前記光起電力電池が、好ましくは、前面、電極層、光起電活性層、および背面を含み、特に前記背面が、前記配向ポリエステルフィルムを含む、使用。
【請求項２７】
前面、電極層、光起電活性層、および背面を含む光起電力電池であって、前記前面および／または背面が、請求項２３または２４に規定の配向ポリエステルフィルムを含み、
任意選択で前記電極層および光起電活性層が、カプセル材でコーティングされており、前記背面が、請求項２３または２４に規定の配向ポリエステルフィルムを含み、
任意選択で前記フィルムが、不透明または白色のフィルムであり、好ましくは前記フィルムが、多層アセンブリ中の最も外側である、光起電力電池。